(57)【要約】【課題】  対称タイプの対物レンズ駆動装置のアクチュエータにおいて、超薄型アクチュエータにおいて、インサート成形を用いずに作製可能な安価な対物レンズ駆動装置を提供すること。【解決手段】  対物レンズ駆動装置は対物レンズ３０を保持する対物レンズホルダ２０のＴｇ方向に沿う第１の方向の両側に一端が固定されて夫々設けられた４本のサスペンションワイヤ５４と、対物レンズホルダ２０とは前記第１の方向に離間して設けられ、サスペンションワイヤ５４の他端側を支持するダンパベース１０と、対物レンズホルダ２０のＴｒ方向に沿う第２の方向の中心寄りに設けられたリードワイヤ１とを備えている。前記対物レンズホルダ２０は、当該ホルダを前記チルト方向、前記第２の方向及びＦ方向に沿う第３の方向に夫々移動させる第１、第２、及び第３の駆動コイル１６，１４，１７を収容し、前記第２及び第３の駆動コイル１６，１７は前記多くとも４本のサスペンションワイヤ５４に電気接続され、前記第１の駆動コイル１６は、前記リードワイヤ１に電気接続されている。【選択図】      図５
2005174475.tif 000002
【特許請求の範囲】
【請求項１】
対物レンズを保持する対物レンズホルダをチルト方向に移動させて制御する機構を備えた対物レンズ駆動装置において、前記対物レンズホルダのトラッキング方向に沿う第１の方向とフォーカス方向に沿う第２の方向に直交する方向に沿う第３の方向の両側に一端が固定されて夫々設けられた多くとも４本のサスペンションワイヤと、前記対物レンズホルダとは前記第３の方向に離間して設けられ、前記多くとも４本のサスペンションワイヤの他端側を支持するダンパベースと、前記対物レンズホルダの前記第１の方向の中心寄りに設けられたリードワイヤとを備え、前記対物レンズホルダは、当該ホルダを前記チルト方向、前記第１の方向、及び前記第２の方向に夫々移動させる第１の駆動コイル、第２の駆動コイル、及び第３の駆動コイルを収容し、前記第２及び第３の駆動コイルは、前記多くとも４本のサスペンションワイヤに電気接続され、前記第１の駆動コイルは、前記リードワイヤに電気接続されていることを特徴とする対物レンズ駆動装置。
【請求項２】
請求項１に記載の対物レンズ駆動装置において、前記リードワイヤは、リッツ線材又はコイル線材からなることを特徴とする対物レンズ駆動装置。
【請求項３】
請求項１に記載の対物レンズ駆動装置において、前記リードワイヤの前記対物レンズホルダ及び前記ダンパベースの固定部付近にダンパ剤を塗布してなることを特徴とする対物レンズ駆動装置。
【請求項４】
請求項１記載の対物レンズ駆動装置において、前記第１乃至第３の駆動コイルを１組とし、前記対物レンズホルダの外周寄りに対称形に、４組配置してなることを特徴とする対物レンズ駆動装置。
【請求項５】
請求項４記載の対物レンズ駆動装置において、前記対物レンズホルダの前記第３の方向の両端の両側に近接して前記第３の方向に磁界を生じるように２個一対として、２対の第１の磁石を配置し、さらに、２組の前記第１乃至第３のコイル間に、第２の磁石を配置し、他の２組の前記第１乃至第３のコイル間にも同様に第２の磁石を配置したことを特徴とする対物レンズ駆動装置。
【請求項６】
請求項５記載の対物レンズ駆動装置において、前記第１の駆動コイル及び前記第３の駆動コイルは、前記第１の駆動コイルの周囲に前記駆動コイルが巻き回された中空のコイル部材を構成し、前記ヨークベースは、前記第１の磁石の前記第１の方向の外端に当接する第１のヨークと、前記コイル部材を夫々貫通する第２のヨークとを備えていることを特徴とする対物レンズ駆動装置。
【請求項７】
請求項１乃至６の内のいずれかに記載の対物レンズ駆動装置を備えていることを特徴とする光ピックアップ。
【発明の詳細な説明】
【技術分野】
【０００１】
本発明は、光ディスクドライブの光ピックアップに用いられる対物レンズ駆動装置に関し、特にその対物レンズホルダに関する。
【背景技術】
【０００２】
光ディスクドライブは、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、Ｂｌｕ−ｌａｙ，ＡＯＤ等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
一般に、光ピックアップは、レーザビームを出射するレーザ光源と、この出射されたレーザビームを光ディスクへ導くとともに、その反射光を光検出器へ導く光学系とを備えている。そして、この光学系には、光ディスクに対向するように配置される対物レンズが含まれている。
【０００４】
光ピックアップに用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御される必要がある。また、最近は、記録密度の向上に伴い、光ディスクの反りによる影響を除去又は抑制する必要性が高まっており、対物レンズは、チルティング制御される必要もある。
【０００５】
従来の対物レンズ駆動装置は、フォーカシング制御、トラッキング制御及びチルティング制御を可能にするため、対物レンズを保持する対物レンズホルダを、複数のサスペンションワイヤによって弾性支持している。
【０００６】
また、対物レンズホルダに、フォーカシングコイル、トラッキングコイル及びチルティングコイルを巻回しあるいは取り付け、これらのコイルを磁気回路のギャップ内に部分的に位置させている。このような構成において、各コイルに流れる電流を制御することで、従来の対物レンズ駆動装置は、対物レンズの位置及び傾きを微調整することができる（例えば、特許文献１、参照。）。
【０００７】
図７は特許文献２に開示された対物レンズ駆動装置の斜視図である。また、図８は、図７の対物レンズ駆動装置の金属製トップカバー５７を取り外した状態を示す斜視図である。
【０００８】
図７及び図８に示すように、対物レンズ駆動装置は、ベース５１と、対物レンズ５２と、対物レンズホルダ５３と、ベース５１に対して対物レンズホルダ５３を揺動可能に支持する４本（２本のみ図示）のサスペンションワイヤ５４と、ベース５１に固定された一対のヨーク５５及び各ヨーク５５に固定された磁石５６とを有している。
【０００９】
この対物レンズ駆動装置は、図示しない光ディスクドライバの光学ベースに搭載され、光ピックアップを構成する。光学ベースは、光ディスク装置に導入された光ディスクの半径方向（トラッキング方向Ｔｒ）に沿って移動可能にガイドバーに取り付けられている。また、光学ベースには、レーザダイオード、光検出器、及び所定の光学系が取り付けられており、レーザダイオードからのレーザ光が対物レンズ５２を通して光ディスクに照射され、その反射光が光検出器に導かれるように構成されている。
【００１０】
対物レンズホルダ５３には、後述するように、チルティングコイル、フォーカシングコイル及びトラッキングコイルが巻き回されており、これらのコイルに流す電流を適切に制御することにより、対物レンズホルダ５３は、ヨーク５５及び磁石５６が作り出す磁界との関係に基づき、トラッキング方向（Ｔｒ）に傾動し（タンジェンシャル方向Ｔｇに平行な軸を回転軸として回動し）、またトラッキング方向（Ｔｒ）に沿って移動し、あるいはフォーカシング方向（Ｆ）に沿って移動する。
【００１１】
対物レンズホルダ５３は、図９に示すような上側部材６０と、図１０に示すような下側部材６５とを備えている。
【００１２】
図９に示すように、上側部材６０は、概略正方形の板状（下側部材６５に対向する面が略四角形）であり、その中央部には、対物レンズを取り付けるための貫通孔６１が形成されている。また、上側部材６０の四隅近傍には、ヨーク５５の一部を挿入するための４つの方形穴６２が対称的な位置に形成されている。なお、ヨーク５５は、断面Ｕ字形状であり、対向する一面が２つの垂直方向の棒片からなる。
【００１３】
上側部材６０には、また、トラッキング方向（Ｔｒ）両側にサスペンションワイヤ５４を固定するための固定部６３が形成されている。さらに、上側部材６０のタンジェンシャル方向（Ｔｇ）両側には、その端部近傍に、トラッキングコイルを巻回すための４個の第１のフック部６４が、タンジェンシャル方向に沿って突出するように形成されている。
【００１４】
一方、下側部材６５は、図１０に示すように、概略正方形状（上側部材６０に対向する面が略四角形）の板状部６６と、この板状部６６の一面から垂直方向に突き出したチルティングコイル巻枠部６７とを有している。板状部６６のサイズは、少なくともタンジェンシャル方向（Ｔｇ）に関して上側部材６０と同一である。
【００１５】
板状部６６の中央には、レーザ光を通過させるための貫通孔６９が形成されている。また、板状部６６の四隅近傍には、ヨーク５５の一部を挿入するための４つの方形穴が形成されている。チルティングコイル巻枠部６７は、この方形穴を不完全に取り囲むように形成されている。
【００１６】
さらに、下側部材６５には、そのタンジェンシャル方向（Ｔｇ）両側には、その端部近傍に、トラッキングコイルを巻回すための４個の第２のフック部６８が、タンジェンシャル方向に沿って突出するように形成されている。
【００１７】
上述した上側部材６０及び下側部材６５は、互いに組み合わされて対物レンズホルダ５３を構成するが、これらを組み合わせる前に、チルティングコイル７０及びフォーカシングコイル７１が、この順番でチルティングコイル巻枠部６７に巻回される。
【００１８】
図１０に示すように、チルティングコイル７０は、４個のチルティングコイル巻枠部６７の夫々に順番に巻回される。この後、これらチルティングコイル７０が巻回された４個のチルティングコイル巻枠部６７を単一の巻芯として、フォーカシングコイル７１が巻回される。
【００１９】
こうして、下側部材６５にチルティングコイル７０及びフォーカシングコイル７１が巻回された後、上側部材６０が下側部材６５に固定される。
【００２０】
組み合わせた状態で、この対物レンズホルダ５３全体をフォーカシングコイル巻枠部とみなすと、上側部材６０及び下側部材６５の板状部６６がフランジに相当する。４個のチルティングコイル巻枠部６７が、その巻芯に相当することは上述した通りである。
【００２１】
また、上側部材６０に形成された貫通孔６１の中心軸と、下側部材６５に形成された貫通孔６７の中心軸とは互いに一致する。また、上側部材６０に形成された４個の第１のフック部６４と、下側部材６５に形成された４個の第２のフック部６８とは、互いに対向しそれぞれ対を成す。第１のフック部６４及び第２のフック部６８の対は、それぞれトラッキングコイルを巻回すための４個のトラッキングコイル巻枠部を構成する。
【００２２】
この後、図１１に示すように、４個のトラッキングコイル巻枠部にトラッキングコイル７２が巻き回され、図１０に示すように対物レンズ５２が取り付けられる。
【００２３】
図１２に、コイル７０，７１及び７２が巻き回され、サスペンションワイヤ５４が取り付けられた対物レンズホルダ５３に、ヨーク５５及び磁石５６を組み合わせた状態を示す。なお、磁石５６は、２極着磁マグネットである。
【００２４】
チルティングコイル７０、フォーカシングコイル７１及びトラッキングコイル７２の端部は、接続端子８１、８２、８３に接続される。ここで、フォーカシングコイル７１及びトラッキングコイル７２の端部が接続される接続端子８１、８２には、さらに、図１２に示すように、上側部材６０に形成された固定部６３にこの固定部６３を貫通した状態で固定されるサスペンションワイヤ５４の一端が夫々接続される。一方、チルティングコイル７０が接続される接続端子には、図１２に示すように、引き出し線８４が接続される。
【００２５】
図１２に示されるように引き出し線８４は固定部６３を貫通して固定された後、下方に折り曲げられて対物レンズホルダ５３の下側部材６５に設けられたチルティングコイル７０用の接続端子８３と接続される。
【００２６】
図１２から容易に理解できるように、ヨーク５５と磁石５６との組み合わせが作り出す磁気回路の磁気ギャップ内に、チルティングコイル７０、フォーカシングコイル７１、及びトラッキングコイル７２の各々の一部が配置されている。これにより、各コイルに流れる電流に応じて、対物レンズホルダ５３は、移動し、また傾動する。即ち、各コイルに流れる電流を制御することにより、チルティング制御、フォーカシング制御及びトラッキング制御を行うことができる。
【００２７】
通常、対物レンズホルダをチルト方向の移動を制御するアクチュエータにおいて、上述した引き出し線８４をサスペンションワイヤを用いて構成されるので、フォーカス、トラッキング、チルトの各コイルに電流を流すためには、サスペンションワイヤを左右両側に３本づつ、合計６本のサスペンションワイヤが必要である。また、超薄型（ウルトラスリム）光ディスクの対物レンズ駆動装置のアクチュエータは高さが、例えば、４ｍｍと軽薄短小であるために、インサート成形によるエッチングワイヤなどを用いなければ６本ワイヤを形成できなかった。
【特許文献１】特開２００１−９３１７７号公報
【特許文献２】特願２００３−１１１９５３号
【発明の開示】
【発明が解決しようとする課題】
【００２８】
そこで、本発明の一技術的課題は、対称タイプの対物レンズ駆動装置のアクチュエータにおいて、超薄型アクチュエータにおいて、インサート成形を用いずに作製可能な安価な対物レンズ駆動装置を提供することにある。
【００２９】
また、本発明のもう一つの技術的課題は、サスペンションワイヤの代りに、断線しないリード線材を用いた信頼線の高い対物レンズ駆動装置を提供することにある。
【課題を解決するための手段】
【００３０】
また、本発明によれば、対物レンズ（３０）を保持する対物レンズホルダ（２０）をチルト方向に移動させて制御する機構を備えた対物レンズ駆動装置（１００）において、前記対物レンズホルダ（２０）のトラッキング（Ｔｒ）方向に沿う第１の方向とフォーカス方向（Ｆ）に沿う第２の方向に直交する方向に沿う第３の方向の両側に一端が固定されて夫々設けられた多くとも４本のサスペンションワイヤ（５４）と、前記対物レンズホルダ（２０）とは前記第３の方向に離間して設けられ、前記多くとも４本のサスペンションワイヤ（５４）の他端側を支持するダンパベース（１０）と、前記対物レンズホルダ（２０）の前記第１の方向の中心寄りに設けられたリードワイヤ（１）とを備え、前記対物レンズホルダ（２０）は、当該ホルダ（２０）を前記チルト方向、前記第１の方向、及び前記第２の方向に夫々移動させる第１の駆動コイル（１６）、第２の駆動コイル（１４）、及び第３の駆動コイル（１７）を収容し、前記第２及び第３の駆動コイル（１４，１７）は、前記多くとも４本のサスペンションワイヤ（５４）に電気接続され、前記第１の駆動コイル（１６）は、前記リードワイヤ（１）に電気接続されていることを特徴とする対物レンズ駆動装置（１００）が得られる。
【００３１】
また、本発明によれば、前記対物レンズ駆動装置（１００）において、前記リードワイヤ（１）は、リッツ線材又はコイル線材からなることを特徴とする対物レンズ駆動装置（１００）が得られる。
【００３２】
また、本発明によれば、前記対物レンズ駆動装置（１００）において、前記リードワイヤ（１）の前記対物レンズホルダ（２０）及び前記ダンパベース（１０）の固定部（５，２２，２３）付近にダンパ剤を塗布してなることを特徴とする対物レンズ駆動装置（１００）が得られる。
【００３３】
また、本発明によれば、前記対物レンズ駆動装置（１００）において、前記第１乃至第３の駆動コイル（１６，１７，１４）を１組とし、前記対物レンズホルダ（２０）の外周寄りに対称形に、４組配置してなることを特徴とする対物レンズ駆動装置が得られる。
【００３４】
また、本発明によれば、前記対物レンズ駆動装置（１００）において、前記対物レンズホルダ（２０）の前記第３の方向の両端の両側に近接して前記第３の方向に磁界を生じるように２個一対として、２対の第１の磁石（１２）を配置し、さらに、２組の前記第１乃至第３のコイル（１６，１７，１４）間に、第２の磁石（１１）を配置し、他の２組の前記第１乃至第３のコイル（１６，１７，１４）間にも同様に第２の磁石（１１）を配置したことを特徴とする対物レンズ駆動装置（１００）が得られる。
【００３５】
また、本発明によれば、前記対物レンズ駆動装置（１００）において、前記第１の駆動コイル（１６）及び前記第３の駆動コイル（１７）は、前記第１の駆動コイル（１６）の周囲に前記駆動コイルが巻き回された中空のコイル部材（１８）を構成し、前記ヨークベース（１３）は、前記第１の磁石（１２）の前記第１の方向の外端に当接する第１のヨーク（１３ａ，１３ｂ）と、前記コイル部材（１８）を夫々貫通する第２のヨーク（１５）とを備えていることを特徴とする対物レンズ駆動装置（１００）が得られる。
【００３６】
また、本発明によれば、前記いずれか一つの対物レンズ駆動装置（１００）を備えていることを特徴とする光ピックアップが得られる。
【００３７】
なお、上記括弧内の参照符号は、単に本発明の理解を容易にするために付したものであって、何ら本発明を限定するものではないことは勿論である。
【発明の効果】
【００３８】
本発明によれば、対称タイプの対物レンズ駆動装置のアクチュエータにおいて、超薄型アクチュエータにおいて、インサート成形を用いずに作製可能な安価な対物レンズ駆動装置を提供することができる。
【００３９】
また、本発明によれば、サスペンションワイヤの代りに、断線しないリード線材を用いた信頼線の高い対物レンズ駆動装置を提供することができる。
【発明を実施するための最良の形態】
【００４０】
以下、本発明の実施の形態について説明する。
【００４１】
図１は本発明の実施の形態による対物レンズ駆動装置の斜視図である。また、図２は、図１の対物レンズ駆動装置の正面側から眺めた斜視図である。図３は図１の対物レンズ駆動装置を斜め上方から眺めた分解組立斜視図である。図４は図１の対物レンズ駆動装置の斜め下方から眺めた分解組立斜視図である。図５は図１及び図２に示した対物レンズ駆動装置の要部の上面側から眺めた部分拡大斜視図、図６は図１及び図２に示した対物レンズ駆動装置の要部の底面側から眺めた部分拡大斜視図である。
【００４２】
図１乃至図４に示すように、対物レンズ駆動装置１００は、ダンパベース１０と、対物レンズ３０と、対物レンズホルダ２０と、ベース１０に対して対物レンズホルダ２０を揺動可能に支持する４本のサスペンションワイヤ５４，５４，５４，５４及び２本のリードワイヤ１，１と、ダンパベース１０及び対物レンズホルダ２０を搭載したヨークベース１３と、ヨークベース１３に固定された４角板状の永久磁石からなる第１の磁石１２及び第２の磁石１１とを有している。
【００４３】
この対物レンズ駆動装置１００は、図示しない光ディスクドライバの光学ベースに搭載され、光ピックアップを構成する。光学ベースは、光ディスク装置に導入された光ディスクの半径方向（トラッキング方向（以下、Ｔｒ方向と呼ぶ）に沿って移動可能にガイドバーに取り付けられている。また、光学ベースには、レーザダイオード、光検出器、及び所定の光学系が取り付けられており、レーザダイオードからのレーザ光が対物レンズ３０を通して光ディスクに照射され、その反射光が光検出器に導かれるように構成されている。
【００４４】
ダンパベース１０のタンジェンシャル方向（以下、Ｔｇ方向と呼ぶ）両側には、固定部２２，２３が夫々形成されている。また中央寄りには、中心を挟んで両側に固定部５が形成され、それぞれ固定部５から、固定溝９がＴｇ方向互いに開くように、Ｓ字形状に曲がって形成され、さらに、Ｔｇ方向に伸びて外側まで貫通している。夫々の固定部２２，２３には、サスペンションワイヤ５４，５４が支持固定される。また、固定部５には、リードワイヤ１が支持固定される。
【００４５】
対物レンズホルダ２０には、チルティングコイル１６及びその周囲に巻回されたフォーカシングコイル１７からなるコイル部材１８と、トラッキングコイル１４とを一組として４組備えている。これらのチルティングコイル１６、フォーカシングコイル１７及びトラッキングコイル１４に流す電流を適切に制御することにより、対物レンズホルダ２０は、ヨーク１３ａ，１３ｂ，１５及び磁石１１，１２が作り出す磁界との関係に基づき、トラッキング方向（以下、Ｔｒ方向と呼ぶ）に傾動し（タンジェンシャル（Ｔｇ）方向に平行な軸を回転軸として回動し）、またトラッキング（Ｔｒ）方向に沿って移動し、あるいはフォーカシング方向（以下、Ｆ方向と呼ぶ）に沿って移動する。
【００４６】
図３及び図４に示すように、ヨークベース１３は、一端寄りに設けられ幅（Ｔｒ）方向に両側に渡ってた台形状のヨーク１３ｂ及び他端に起立して設けられた板状ヨーク１３ａ，１３ａ（第１のヨークと呼ぶ）と、Ｔｇ方向の中央部の２箇所の両側に設けられた４つの板状のヨーク１５，１５，１５，１５（第２のヨークと呼ぶ）とを備えている。
【００４７】
さらに、ヨークベース１３には、第１のヨーク１３ａ，１３ｂ夫々に接触するとともに，Ｔｇ方向に同じ側の磁石１２は同じ極性、幅方向に隣合う磁石１２は、互いに相反する極性を有するように、永久磁石からなる第１の磁石１２，１２が設けられている。また中央両側にも、長さ方向に互いに反する極性を有するように、永久磁石からなる第２の磁石１１，１１が設けられている。
【００４８】
図３及び図４に示すように、対物レンズホルダ２０は、四角の厚い板形状を備え、中央に対物レンズ３０を装着するための上面側に装着部３１を備えた装着孔３２と四隅に対称的にコイル部材１８を装着するためのコイル装着孔２８と、両側に第２の磁石１１，１１が貫通する孔２９を備えている。コイル部材１８はヨークベース１３に設けられた板状の第２のヨーク１５，１５，１５，１５が夫々貫通する。
【００４９】
対物レンズホルダ２０には、更に，Ｔｒ方向両端に上下に並んで、サスペンションワイヤ５４を固定するための固定部２１が形成されている。さらに、レンズホルダ２０のＴｇ方向両側には、その端部近傍に、トラッキングコイル１４を巻回すための２対の第１のフック部２４ａ、及び第２のフック部２４ｂが、Ｔｇ方向に沿って突出するとともに、上下方向に夫々並んで合計４対設けられている。
【００５０】
対物レンズホルダ２０には、チルティングコイル１６及びフォーカシングコイル１７が、この順番で，図示しない巻枠の周り、もしくは直接巻回されてコイル部材１８を構成する。
【００５１】
図２に示すように、チルティングコイル１６は、図示しない４個のチルティングコイル巻枠部もしくは巻き取り部の夫々に順番に巻回される。この後、これらチルティングコイル１６が巻回された４個のチルティングコイル１６の周囲に、フォーカシングコイル１７が巻回されて、巻枠に巻回された状態もしくは、巻枠や巻取り部が外された筒状の状態のコイル部材１８が形成される。コイル部材１８は、対物レンズホルダ２０内の装着孔２８に装着される。
【００５２】
また、対物レンズホルダ２０の２対４個の第１のフック部２４ａと、これとＴｇ方向に対向するように他端部の両側に設けられた２対４個の第２のフック部２４ｂとは、互いに対向しそれぞれ対を成す。対物レンズホルダ２０の両側の巻枠部２４ａ，２４ｂにフォーカシングコイル１４がそれぞれ巻回されて、３種のコイルは対物レンズホルダ２０に設けられることになる。この後、図３に示すように対物レンズ３０が取り付けられる。
【００５３】
フォーカシングコイル１７及びトラッキングコイル１４の端部は、対物レンズホルダ２０のＴｇ方向の両側の上下に設けられた４個の接続端子２１，２１，２１，２１に接続される。ここで、フォーカシングコイル１７及びトラッキングコイル１４の端部が接続される接続端子２１，２１には、さらに、図３及び図４に示すように、ダンパベース１０の固定部２２，２３を介して、対物レンズホルダ２０に形成された固定部である接続端子２１にこの接続端子２１を貫通した状態で固定されるサスペンションワイヤ５４の一端が夫々接続される。尚，サスペンションワイヤ５４の代りに捻り線又はコイル線からなるリードワイヤも用いることができる。
【００５４】
一方、チルティングコイル１６の先端１６ａには、途中に傾斜面を備えたリードワイヤ１のＬ字状に屈曲した一端部の先端部１ａが接続される。
【００５５】
図５及び図６に示されるように、リードワイヤ１は、一端は、対物レンズホルダ２０の壁部に設けられた固定部２を通り、Ｌ字形状にＴｒ方向外側に向かって折曲り、さらに、Ｌ字形状に上方に折曲げられ、その先端が対物レンズホルダ３０の空間２５内に至り、この空間２５内に形成された固定部２６を介して引き出される。一方、リードワイヤ１の他端側は、ダンパベース１０の固定部５及びＳ字状に屈曲した固定溝９を貫通して固定された後、タンパベース１０の固定孔８を介して後方に突出ている。
【００５６】
チルティングコイル１６の先端部１６ａは、装着孔２８の壁部に設けられた溝２７を介して対物レンズホルダ２０内の対物レンズ装着部３１に隣接した空間２５内に至っている。リードワイヤ１の先端１ａとコイル１６の先端部１６ａは半田付けされて固定される。このリードワイヤ１はコイル線もしくは捻り線（リッツ線）を用いている。したがって、銅クラッドアルミ線を用いた時のように、対物レンズ駆動装置（アクチュエータ）の駆動の際に発生する応力で断線する場合があるが、コイル線及びリッツ線のいずれかを用いることで、応力の分散を図り断線しにくくすることができる。尚、固定部５，２２，２３のリードワイヤ１又はサスペンションワイヤ５４を収容する部位には、夫々ダンパ剤３，４ａ，４ｃが充填される。
【００５７】
チルティングコイル１６，フォーカシングコイル１７，及びトラッキングコイル１４と、第１及び第２の磁石１２，１１と、第１及び第２のヨーク１３ａ，１３ｂ，１５との配置及び作用は次の通りである。
【００５８】
図１乃至図４から容易に理解できるように、Ｔｇ方向に第１のヨーク１３ａ，１３ｂ，第２のヨーク１５と第１の磁石１２、第２の磁石１１との組み合わせが作り出す磁気回路の磁気ギャップ内に、チルティングコイル１６、フォーカシングコイル１７、及びトラッキングコイル１４の各々の一部が配置されている。第１の磁石１２は、フォーカスコイル１７及びトラッキングコイル１４に駆動力を与えるマグネットである。また、第２の磁石１は、フォーカシングコイル１７及びチルティングコイル１６の駆動力を補うマグネットである。
【００５９】
即ち、フォーカシングコイル１７に関しては、Ｔｇ方向の左右両側のコイルともに、上下方向の同じ方向に駆動力を受ける。
【００６０】
また、トラッキングコイル１４も同様に、Ｔｇ方向の左右両側のコイルともに、Ｔｒ方向の同じ方向に駆動力を受ける。
【００６１】
そして、チルティングコイ１ル６は、Ｔｇ方向の左右一対のコイルがともに、右と左では、互いに反対方向になるように力を受ける。そのときに、第２の磁石１によって、磁力線の方向をヨークのＴｒ方向外側及び内側に向かうよう屈曲させるので、コイルのトラック方向外側及び内側の部分にも同じ方向の駆動力が加わるために、電磁力を増大させ、リードワイヤ１をＴｒ方向の内側で支持するために、チルト方向の加速度感度を高めることができる。
【００６２】
同様に，第２の磁石１１の配置によって、フォーカスコイル１７についても加速度感度を高めることができる。
【００６３】
以上説明したように、本発明の実施の形態においては、サスペンションワイヤが４本で構成可能であるために、ウルトラスリム（超薄型）アクチュエータでもインサート成形を用いずに成形可能になり、安価なアクチュエータを提供することができる。
【００６４】
また、対物レンズホルダ２０からダンパベース１０へ引き出すリードワイヤ１はコイル線でもよいが、コイル線に銅クラッドアルミ線を用いると、アクチュエータ駆動の際に生じる応力で断線するおそれがあるが、本発明の実施の形態においては、リッツ線を用いることによって、応力の分散を図り，断線を防止することができる。
【００６５】
また、本発明の実施の形態においては、対物レンズホルダ２０からダンパベース１０へ引き出す線の夫々の基部付近に最も応力が集中するため、例えば，ダンパ剤のような柔軟性を有する部材を配置することによって、基部付近への応力集中をなくし、断線を防止することができる。
【産業上の利用可能性】
【００６６】
本発明に係る対物レンズ駆動装置は、例えば、光ディスクドライブの光ピックアップに適用することができる。
【図面の簡単な説明】
【００６７】
【図１】本発明の実施の形態による対物レンズ駆動装置の斜視図である。
【図２】図１の対物レンズ駆動装置の正面側から眺めた斜視図である。
【図３】図１の対物レンズ駆動装置を斜め上方から眺めた分解組立斜視図である。
【図４】図１の対物レンズ駆動装置の斜め下方から眺めた分解組立斜視図である。
【図５】図１及び図２に示した対物レンズ駆動装置の要部の上面側から眺めた部分拡大斜視図である。
【図６】図１及び図２に示した対物レンズ駆動装置の要部の底面側から眺めた部分拡大斜視図である。
【図７】特許文献２に開示された対物レンズ駆動装置の斜視図である。
【図８】図７の対物レンズ駆動装置の金属製トップカバー５７を取り外した状態を示す斜視図である。
【図９】図７及び図８の対物レンズ駆動装置の対物レンズホルダの上側部材６０を示す斜視図である。
【図１０】図７及び図８の対物レンズ駆動装置の対物レンズホルダの下側部材６５を示す斜視図である。
【図１１】図９に示す上側部材と下側部材とを組み合わせた対物レンズホルダを示す斜視図である。
【図１２】図１１に示す状態の対物レンズホルダに対物レンズを装着してヨーク及び磁石からなる磁気回路を組み合わせた状態を示す斜視図である。
【符号の説明】
【００６８】
１    リードワイヤ
１ａ    先端部
４ａ，４ｂ，４ｃ    ダンパ剤
５，２１，２２，２３    固定部
７    壁部
９    固定溝
１０    ダンパベース
１１    第２の磁石
１２    第１の磁石
１３    ヨークベース
１３ａ，１３ｂ    第１のヨーク
１４    トラッキングコイル
１５    第２のヨーク
１６    チルティングコイル
１６ａ    先端部
１７    フォーカシングコイル
１８    コイル部材
２０    対物レンズホルダ
２１    接続端子
２４ａ    第１のフック部
２４ｂ    第２のフック部
２５    空間
２８    装着孔
３０    対物レンズ
３１    装着部
３２    装着孔
５４    サスペンションワイヤ
５１    ベース
５２    対物レンズ
５３    対物レンズホルダ
５５    ヨーク
５６    磁石
６０    上側部材
６１    貫通孔
６２    方形穴
６３    固定部
６４    第１のフック部
６５    下側部材
６６    板状部
６７    チルティングコイル巻枠部
６８    第２のフック部
６９    貫通孔
７０    チルティングコイル
７１    フォーカシングコイル
７２    トラッキングコイル
８１，８２，８３    接続端子
８４    引き出し線
１００    対物レンズ駆動装置
【図１】
2005174475.tif 000003
【図２】
2005174475.tif 000004
【図３】
2005174475.tif 000005
【図４】
2005174475.tif 000006
【図５】
2005174475.tif 000007
【図６】
2005174475.tif 000008
【図７】
2005174475.tif 000009
【図８】
2005174475.tif 000010
【図９】
2005174475.tif 000011
【図１０】
2005174475.tif 000012
【図１１】
2005174475.tif 000013
【図１２】
2005174475.tif 000014